(57)【要約】【課題】  既存の円形カッターを利用することで大がかりな設備を要することなく作業手順を少なくし、作業コストを低減できて施工性に優れ、舗装路面の切断時に余切りが発生せず舗装に好適な切断面を形成することができる円形カッター用路面切断治具を提供することを目的とする。【解決手段】  ａ．基板部と、基板部に穿設された２以上の固定孔と、基板部の上面に四隅に配設された円弧状案内部と円弧状案内部間に配設された直線案内部とを有する略矩形状に形成されたカッター案内溝と、を備えたガイド板と、ｂ．円形カッター本体のカッターフレームに装着され固定する基部と、カッター案内溝に嵌合されて円形カッター本体をカッター案内溝に沿って案内する案内部と、を備えた円形カッター移動部と、を備えている。【選択図】  図１
2005155110.tif 000002
【特許請求の範囲】
【請求項１】
ａ．基板部と、前記基板部に穿設された２以上の固定孔と、前記基板部の上面に四隅に配設された円弧状案内部と前記円弧状案内部間に配設された直線案内部とを有する略矩形状に形成されたカッター案内溝と、を備えたガイド板と、
ｂ．円形カッター本体のカッターフレームに装着され固定する基部と、前記カッター案内溝に嵌合されて前記円形カッター本体をカッター案内溝に沿って案内する案内部と、を備えた円形カッター移動部と、
を備えていることを特徴とする円形カッター用路面切断治具。
【請求項２】
前記円形カッター移動部が、前記基部を保持するアーム部を備え、前記案内部が前記アーム部に軸支され前記カッター案内溝に嵌合されて鉛直軸に対して回転する２つの案内輪を備えていることを特徴とする請求項１に記載の円形カッター用路面切断治具。
【請求項３】
前記ガイド板の前記基板部が、前記カッター案内溝の前記円弧状案内部が配設された円弧案内基板部と前記直線案内部が配設された直線案内基板部とに分割され、前記円弧案内基板部及び前記直線案内基板部が互いを着脱自在に固定する固定手段を備えていることを特徴とする請求項１又は２に記載の円形カッター用路面切断治具。
【請求項４】
前記固定手段が、分割された前記円弧案内基板部及び前記直線案内基板部の上面にそれぞれ立設された基板固定用リブと、前記基板固定用リブに穿設された基板固定用孔と、を備えていることを特徴とする請求項３に記載の円形カッター用路面切断治具。
【請求項５】
前記円形カッター移動部が高さ調整部を備えていることを特徴とする請求項１乃至４の内いずれか１項に記載の円形カッター用路面切断治具。
【請求項６】
前記基部に穿設された縦長の高さ調整孔を備えていることを特徴とする請求項５に記載の円形カッター用路面切断治具。
【請求項７】
ａ．カッターフレームと、前記カッターフレームの底部に配設された移動用車輪と、略截頭円錐状に形成され前記カッターフレームに配設された回転刃と、前記回転刃の底部外周に配設された底部切削刃と、前記回転刃の側部に放射状に形成され前記底部切削刃と一体に形成された側部切削刃と、を有し、前記底部切削刃及び前記側部切削刃と路面とのなす傾斜角が鋭角である円形カッター本体と、
ｂ．請求項１乃至６の内いずれか1項に記載された円形カッター用路面切断治具と、
ｃ．前記円形カッター本体の前記カッターフレームに請求項１乃至６の内いずれか1項に記載された円形カッター用路面切断治具の前記円形カッター移動部を固定する固定部材と、
を備えていることを特徴とする路面切断装置。
【請求項８】
請求項１乃至６の内いずれか１項に記載された円形カッター用路面切断治具の前記ガイド板を路面に固定するガイド板取付工程と、請求項１乃至６の内いずれか１項に記載された円形カッター用路面切断治具の前記円形カッター移動部を円形カッター本体のカッターフレームに固定する円形カッター移動部取付工程と、前記ガイド板の前記カッター案内溝に前記円形カッター移動部の前記案内部を嵌入し前記円形カッター本体を前記カッター案内溝に沿って移動させ路面を略矩形状に切断する切断工程と、を備えていることを特徴とする路面切断工法。
【請求項９】
前記円形カッター移動部取付工程が請求項５又は６に記載された高さ調整部により前記円形カッター移動部の高さを調整する高さ調整工程を備えていることを特徴とする請求項８に記載の路面切断工法。
【発明の詳細な説明】
【技術分野】
【０００１】
本発明は、舗装路面を円形に切断する円形カッターを直線状や円弧状に移動させて切断を行なうことにより、舗装路面に設けられる情報ボックス等の四角形状の鉄蓋周囲に余切りを発生させることなく略矩形状に切断でき、走行車両による振動や経年劣化等により沈下又は破損した場合等に、迅速且つ低コストで信頼性の高い補修を行なうことができる円形カッター用路面切断治具及び路面切断装置並びにそれを用いた路面切断工法に関するものである。
【背景技術】
【０００２】
舗装道路に設置されるマンホールや情報ボックス等の周囲の舗装路面は、走行車両の振動の影響や経年劣化等によって陥没、沈下、クラックの発生、或いは破損等の劣化が生じ易い。また、マンホールや情報ボックス等の鉄蓋や鉄枠を交換する際には、周囲の舗装路面との高さ調整が必要となる。これらの舗装路面の補修工法として従来の切断工程では、円盤状の回転刃を水平軸に対して回転させる直線カッターによりマンホール等の周囲の舗装路面を四角形状等に切断していた。
しかし、舗装路面を直線カッターで四角形状に切断する場合、舗装路面を所要の深さに切断するためには直線カッターの回転軸を四角形状の各頂点の位置まで進行させる必要があり、刃先が各頂点位置を超えるため、隅部に余切りが発生していた。この余切りは、見た目が悪くなるばかりでなく、舗装路面の強度が低下し、また雨水等の浸入により舗装路面の下が洗われて空洞が生じ、支持力を低下させて舗装路面に亀裂やひび割れ等が発生し易く耐久性を低下させるという問題点があった。
その他の切断方法として、（特許文献１）には、「第１工程で複数個の所要径の円形穴を形成し、第２工程で隣接する円形穴の対向間を直線状に切断する道路舗装層の切断工法」及び「第１工程でマンホール蓋を取囲み且つ交差しないように直線状に切断し、第２工程で互いに隣接する直線切断線に接するように所要径の円形穴を形成する道路舗装層の切断工法」が開示されている。
（特許文献２）には、「円形コアドリルを用いて四角形状の四隅部位置を各々円形状に切断し、円盤状のカッターを用いて該円形状の切断面に接する状態で前記四角形状の四辺を直線状に切断する舗装路面の切断方法」が開示されている。
【特許文献１】特開２０００−１０４２７４号公報
【特許文献２】特開２００１−３４８８１０号公報
【発明の開示】
【発明が解決しようとする課題】
【０００３】
しかしながら上記従来の技術では、以下のような課題を有していた。
（１）（特許文献１）、（特許文献２）ともに、設置物の周囲の舗装路面を四角形状に切断する際に、円形コアドリル等を用いて四隅を円形状に切断するが、円形状の切断面と直線切断線の接続部において、舗装路面を所要の深さに切断するためには、直線切断時にカッターの回転軸を円形状の切断面との接点位置まで進行させる必要があり、刃先が接点を超えるため、従来と同様に隅部に余切りが発生し、それによって舗装路面の強度低下、雨水等の浸入による舗装路面の空洞化、支持力低下による舗装路面の亀裂やひび割れ等が発生し易く耐久性に欠けるという課題を有していた。
（２）また、四辺を直線状に切断する直線切断と四隅を円形状に切断する円形切断が全て独立して行なわれるため、切断工程毎に位置合わせをする必要があり、また、直線切断と円形切断を種類の異なるカッターやドリル等で行なわなければならず、工程が煩雑で施工性に欠けると共に、施工設備の購入や運搬、維持管理の費用が増大し、メンテナンス性に欠けるという課題を有していた。
【０００４】
本発明は上記従来の課題を解決するもので、円形カッターを直線状や円弧状に移動させることにより、大がかりな設備を要することなく少ない作業手順で略矩形状の切断を行なうことができ、作業コストを低減できて施工性に優れた円形カッター用路面切断治具の提供、及び、舗装路面の切断時に余切りが発生せず雨水等の浸入を防止して舗装路面の強度や支持力を確保でき、亀裂やひび割れ、破損等の発生を低減できると共に、既存の外周舗装部分と補修部分が馴染み易く、めくれや剥がれ等の発生を防止できる舗装に好適な切断面を形成することができる路面切断装置の提供、並びに、技術の熟練を必要とせず、工程を簡素化して短時間で精度のよい切断を行なうことができる路面切断工法を提供することを目的とする。
【課題を解決するための手段】
【０００５】
上記課題を解決するために本発明の円形カッター用路面切断治具は、以下の構成を有している。
本発明の請求項１に記載の円形カッター用路面切断治具は、ａ．基板部と、前記基板部に穿設された２以上の固定孔と、前記基板部の上面に四隅に配設された円弧状案内部と前記円弧状案内部間に配設された直線案内部とを有する略矩形状に形成されたカッター案内溝と、を備えたガイド板と、ｂ．円形カッター本体のカッターフレームに装着され固定する基部と、前記カッター案内溝に嵌合されて前記円形カッター本体をカッター案内溝に沿って案内する案内部と、を備えた円形カッター移動部と、を備えている構成を有している。
この構成により、以下のような作用を有する。
（１）ガイド板の基板部の上面に形成されたカッター案内溝が、四隅に配設された円弧状案内部と円弧状案内部間に配設された直線案内部とを有する略矩形状なので、カッター案内溝に沿って円形カッター本体を移動させるだけで、一度の作業で路面を略矩形状に切断することができ、切断が連続して行なわれるので余切りの発生を防止できる。
（２）ガイド板の基板部に２以上の固定孔が穿設されているので、予めガイド板のみの位置合わせを行なって固定するだけで、切断作業時に円形カッター本体の位置合わせ等を行なう必要がなく、簡単かつ確実に所望の切断を行なうことができる。
（３）円形カッター移動部が円形カッター本体のカッターフレームに装設されカッター案内溝に嵌合される案内部を有するので、案内部がガイド板のカッター案内溝に沿うように移動することにより、既存の円形カッター本体をカッター案内溝に沿って移動させることができ、情報ボックス等の周囲の舗装路面（以下、路面と略す）を情報ボックス等に沿って略矩形状に切断を行なうことができる。
（４）円形カッター移動部が案内部を有するので、円形カッター移動部の案内部をガイド板のカッター案内溝に嵌合させるだけで、円形カッター本体をカッター案内溝の直線案内部と平行に確実に直線移動させることができると共に、円弧状案内部に沿って円弧移動をさせることができ、連続した一度の作業で閉じた略矩形状に切断を行なうことができる。
【０００６】
ここで、基板部はステンレス鋼やアルミニウム、鉄等の金属製で略矩形状の平板で形成される。基板部のカッター案内溝の内側に開口部を形成しリング状にした場合、不要な材料費を節約でき、基板部を軽量化して持ち運びを容易にできると共に、取り扱い性を向上させることができる。また、基板部の上面にはカッター案内溝の内側に持ち運びのための取っ手を配設してもよい。
固定孔は基板部の隅部やカッター案内溝に沿って穿設される。少なくとも対角線上の二箇所を固定することにより、基板部の回転を防止でき、円形カッターを安定して移動させることができる。予め多数の固定孔を用意した場合、路面の凹凸や地盤の硬さ等、現場の状況に応じて固定箇所や固定数を選択することができ、汎用性、施工性に優れる。固定はアスファルト等の路面に金属製のピンやアンカーボルト等を打ち込むことにより行なう。
円形カッター移動部の基部は円形カッター本体のカッターフレームの側部や底部に緊縛したり、側部等から突出させた円形の中実棒や中空パイプ等を使用することができる。二つの案内部は円形カッターの回転刃の回転中心軸に対して左右対称に配設されると、切断位置が明確になるので好ましい。案内部は円形カッター移動部の基部にねじ止め、溶接、ピン嵌合する等して固定される。
尚、案内部の取付け位置はカッターフレームの外側部でもよいし、カッターフレームの底部に配設された移動用車輪と回転刃との間でもよい。案内部をカッターフレームの外側部に取付けた場合は、円形カッター本体はガイド板の外周又は内周に沿って移動させることができ、案内部をカッターフレームの移動用車輪と回転刃との間に取付けた場合は、カッターフレームがガイド板のカッター案内溝を跨ぐように円形カッター本体を載置してカッター案内溝上を移動させることができる。
【０００７】
カッター案内溝は基板部と同様の金属で断面形状を略Ｕ字型に形成するか、基板部と平行に配設された平板に貫通孔として形成する。これにより、案内部をカッター案内溝の上方から容易に着脱させることができ作業性に優れる。カッター案内溝の幅を案内部の外径よりも大きめに形成した場合、カッター案内溝への案内部の着脱が容易にできると共に、路面の傾斜や凹凸等による円形カッター本体の揺れや振動等を吸収することができ施工性に優れる。
尚、ガイド板の基板部及びカッター案内溝の表面に防錆加工を施した場合、雨中での作業を行っても錆びることがなく、ガイドアームの案内部を滑らかに案内することができ、耐久性に優れる。
【０００８】
請求項２に記載の発明は、請求項１に記載の円形カッター用路面切断治具であって、前記円形カッター移動部が、前記基部を保持するアーム部を備え、前記案内部が前記アーム部に軸支され前記カッター案内溝に嵌合されて鉛直軸に対して回転する２つの案内輪を備えている構成を有している。
この構成により、請求項１の作用に加え、以下のような作用を有する。
（１）アーム部に軸支されて回転する案内輪を有するので、既存の円形カッター本体のカッターフレームにアーム部を取付けるだけで、ガイド板のカッター案内溝に嵌合される案内輪により、円形カッター本体をガイド板のカッター案内溝に沿って移動させることができる。
（２）アーム部に軸支され鉛直軸に対して回転する２つの案内輪を有することにより、円形カッター本体の移動時に案内輪が回転しながらガイド板のカッター案内溝内を移動するので、円形カッター本体の移動が滑らかになり、切断の作業性を向上させることができる。
ここで、案内輪はアーム部の下部に突出するように軸支され、カッター案内溝に嵌入される。案内輪としては、コロやベアリングの一種であるカムフォロア等が好適に用いられる。
カッター案内溝の深さを案内輪の鉛直方向の厚さより深く形成することにより、案内輪がカッター案内溝の内部で上下に移動することができ、路面の凹凸によらず確実に案内輪を保持して円形カッターを案内することができる。
【０００９】
請求項３に記載の発明は、請求項１又は２に記載の円形カッター用路面切断治具であって、前記ガイド板の前記基板部が、前記カッター案内溝の前記円弧状案内部が配設された円弧案内基板部と前記直線案内部が配設された直線案内基板部とに分割され、前記円弧案内基板部及び前記直線案内基板部が互いを着脱自在に固定する固定手段を備えている構成を有している。
この構成により、請求項１又は２の作用に加え、以下のような作用を有する。
（１）ガイド板の基板部がカッター案内溝の円弧状案内部が配設された円弧案内基板部と直線案内部が配設された直線案内基板部とに分割され、分割された円弧案内基板部及び直線案内基板部が互いを着脱自在に固定する固定手段を有するので、直線案内部の長さが異なる直線案内基板部を用意し、円弧状案内部が形成された円弧案内基板部と組み合わせたり、直線案内部が形成された複数の直線案内基板部を継ぎ足したりすることにより、大きさの異なる情報ボックス等の外周を切断することができ汎用性に優れる。
（２）分割された円弧案内基板部及び直線案内基板部が互いを着脱自在に固定する固定手段を有するので、未使用時に分解することができ、収納場所をとらず、容易に運搬することができて取り扱い性に優れる。
（３）円弧案内基板部及び直線案内基板部が互いを着脱自在に固定する固定手段を有するので、容易に直線案内部の長さを変更することができ、切断を行なう路面の状況に合わせて切断範囲を拡大したり、縮小したりでき汎用性に優れる。
【００１０】
ここで、固定手段としては、円弧状案内部及び直線案内部がそれぞれ形成された円弧案内基板部と直線案内基板部に互いに係止される係止部を配設して固定するものや、それぞれの基板部の上面に基板固定用孔を穿設した基板固定用リブを立設し、ボルトとナットによる緊結手段で固定するもの等が好適に用いられる。直線案内基板部は長さが異なるものを複数種類用意し、それらを交換或いは継ぎ足すことによって切断範囲の拡大や縮小を行なうことができる。また、基準となる一種類の長さの直線案内基板部のみを用意し、それを複数継ぎ足すことによって切断範囲の大きさに対応することもできる。この場合、同一寸法の部材のみで大量に製作することができ、部品点数を低減することができるので、低コスト性に優れる。
【００１１】
請求項４に記載の発明は、請求項３に記載の円形カッター用路面切断治具であって、前記固定手段が、分割された前記円弧案内基板部及び前記直線案内基板部の上面にそれぞれ立設された基板固定用リブと、前記基板固定用リブに穿設された基板固定用孔と、を備えている構成を有している。
（１）分割された円弧案内基板部及び直線案内基板部の上面に基板固定用孔が穿設された基板固定用リブが立設されているので、各基板部をボルトとナットで容易に着脱自在に固定することができる。
ここで、ナットとして蝶ナットを用いた場合、工具を用いずに手だけで固定することができ、作業性に優れる。尚、基板固定用リブ及び基板固定用孔の高さはカッター案内溝の高さより低く形成し、円形カッター本体の移動時にガイドアームのアーム部と干渉しないようにする。
【００１２】
請求項５に記載の発明は、請求項１乃至４の内いずれか１項に記載の円形カッター用路面切断治具であって、前記円形カッター移動部が高さ調整部を備えている構成を有している。
この構成により、請求項１乃至４の内いずれか１項の作用に加え、以下のような作用を有する。
（１）円形カッター移動部が高さ調整部を備えているので、切断を行う路面の凹凸や段差に応じてアーム部の高さを変更することができ、路面に対してスムーズに円形カッター本体を案内することができ、より確実な切断を行うことができる。
ここで、高さ調整部としては、アーム部に縦長の高さ調整孔を形成し、円形カッター本体のカッターフレームとの取り付け高さを調整してボルトとナットにより固定するもの、凹部と凸部を嵌合させて固定するラッチ形式のもの、雄ねじと雌ねじを螺合させるものなどが挙げられる。
【００１３】
請求項６に記載の発明は、請求項５に記載の円形カッター用路面切断治具であって、前記基部に穿設された縦長の高さ調整孔を備えている構成を有している。
この構成により、請求項５の作用に加え、以下のような作用を有する。
（１）基部に穿設された縦長の高さ調整孔を備えているので、ボルトとナットを用いて容易にアーム部が延設された基部を円形カッター本体のカッターフレームに着脱自在に固定することができると共に、予め切断を行う路面の凹凸や段差に応じて円形カッター本体との高さを調整することができる。
ここで、基部は円形カッター本体のカッターフレームにボルトとナットで固定される。予め円形カッター本体のカッターフレームにボルト軸を配設しておき、基部に穿設された高さ調整孔にボルト軸を挿通後、ナットを螺着固定してもよいし、円形カッター本体のカッターフレームに雌ねじ部を形設しておき、高さ調整孔から六角ボルト等を挿通して雌ねじ部と螺着固定するようにしてもよい。
また、アーム部は基部と一体に形成してもよいし、別部材で形成したものを溶接やボルト締め等によって固定してもよい。
【００１４】
本発明の請求項７に記載の路面切断装置は、ａ．カッターフレームと、前記カッターフレームの底部に配設された移動用車輪と、略截頭円錐状に形成され前記カッターフレームに配設された回転刃と、前記回転刃の底部外周に配設された底部切削刃と、前記回転刃の側部に放射状に配設された側部切削刃と、を有し、前記底部切削刃及び前記側部切削刃と路面とのなす傾斜角が鋭角である円形カッター本体と、ｂ．請求項１乃至６の内いずれか1項に記載された円形カッター用路面切断治具と、ｃ．前記円形カッター本体の前記カッターフレームに請求項１乃至６の内いずれか1項に記載された円形カッター用路面切断治具の前記円形カッター移動部を固定する固定部材と、を備えていることを特徴とする路面切断装置。
この構成により、以下のような作用を有する。
（１）円形カッター本体が底部に移動用車輪を配設されたカッターフレームを有するので、固定部材によってカッターフレームに円形カッター用路面切断治具の円形カッター移動部を固定するだけで、円形カッター本体を円形カッター用路面切断治具のカッター案内溝に沿って容易に移動させることができ、現場での作業性に優れる。
（２）円形カッター本体の回転刃が略截頭円錐状に形成され回転刃の底部外周に配設された底部切削刃と、回転刃の側部に放射状に配設された側部切削刃を有し、底部切削刃及び側部切削刃と路面とのなす傾斜角が鋭角であるため、切断面の断面形状を路面表面側に拡開した略Ｖ字型とすることができ、切断された路面の舗装の破砕や除去作業が容易で、補修時に路面上面から加えた圧力がテーパ状の切断面に伝わり易く、外周舗装部分と補修部分を馴染ませることができ、舗装後の路面のめくれや剥がれ等の発生を防止できる。
【００１５】
ここで、円形カッター本体のカッターフレームと円形カッター移動部の固定手段としては、前記のねじ止め、溶接、緊縛、ピン嵌合等の手段を用いることができる。
切断時の底部切削刃及び側部切削刃と路面とのなす傾斜角は、回転刃の回転軸と路面とのなす角を調整することにより変更可能とする。また、回転刃は回転軸と共に昇降可能となっている。これにより、切り込み深さを設定することができ、任意の深さの切断を行なうことができる。
【００１６】
本発明の請求項８に記載の路面切断工法は、請求項１乃至６の内いずれか１項に記載された円形カッター用路面切断治具の前記ガイド板を路面に固定するガイド板取付工程と、請求項１乃至６の内いずれか１項に記載された円形カッター用路面切断治具の前記円形カッター移動部を円形カッター本体のカッターフレームに固定する円形カッター移動部取付工程と、前記ガイド板の前記カッター案内溝に前記円形カッター移動部の前記案内部を嵌入し前記円形カッター本体を前記カッター案内溝に沿って移動させ路面を略矩形状に切断する切断工程と、を備えている構成を有している。
この構成により、以下のような作用を有する。
（１）ガイド板を路面に固定するガイド板取付工程と、円形カッター本体のカッターフレームに円形カッター移動部を固定する円形カッター移動部取付工程と、ガイド板のカッター案内溝に円形カッター移動部の案内部を嵌入し円形カッター本体をカッター案内溝に沿って移動させ路面を略矩形状に切断する切断工程と、を有するので、予め切断位置にガイド板を固定した上で円形カッター移動部により円形カッター本体を案内して切断を行なうことができ、切断工程においては円形カッター本体の位置決め等の作業が不要で、一度の連続した作業で余切りのない略矩形状の切断を行なうことができる。
（２）切断工程において、円形カッター本体をカッター案内溝に沿って移動させ路面を余切りのない略矩形状に切断することができるので、舗装に好適な略Ｖ字型の切断面を切断部の前周に渡って形成することができ、補修後に既存の外周舗装部分と補修部分が馴染み易く、めくれや剥がれ等の発生を防止できる。
【００１７】
ここで、切断部の断面形状が路面側が拡開した略Ｖ字型に形成されるので、補修を行なう路面の破砕及び除去作業が行ない易く、また、外周舗装部分と補修部分との接触面がテーパ状のため、補修後に圧力をかけることで外周舗装部分と補修部分が馴染み易く、舗装後の路面のめくれや剥がれ等の発生を防止できる。
切断工程では初めに切断深さを設定するだけで、その後は円形カッター本体の自重により切断を行ないながら、カッター案内溝に沿って移動させて切断を行なう。尚、切断深さによっては、二回に分けて切断を行なうこともできる。
【００１８】
請求項９に記載の発明は、請求項８に記載の路面切断工法であって、前記円形カッター移動部取付工程が請求項５又は６に記載された高さ調整部により前記円形カッター移動部の高さを調整する高さ調整工程を備えている構成を有している。
この構成により、請求項８の作用に加え、以下のような作用を有する。
（１）円形カッター移動部取付工程が高さ調整工程を有することにより、予め円形カッター移動部の高さを調整することができるので、確実に案内部をカッター案内溝で案内することができ、切断工程において高さを変更する作業が不要で、路面に対してスムーズに円形カッター本体を案内することができ、作業を中断することなく、一度の作業で連続した略矩形状の切断を行なうことができる。
【発明の効果】
【００１９】
以上のように、本発明の円形カッター用路面切断治具によれば、以下のような有利な効果が得られる。
請求項１に記載の発明によれば、以下のような効果を有する。
（１）ガイド板の基板部の上面に形成されたカッター案内溝が、四隅に配設された円弧状案内部と円弧状案内部間に配設された直線案内部とを有する略矩形状なので、カッター案内溝に沿って円形カッター本体を移動させるだけで、一度の作業で路面を略矩形状に切断することができ、切断が連続して行なわれるので余切りの発生を防止できる施工性、信頼性に優れた円形カッター用路面切断治具を提供することができる。
（２）ガイド板の基板部に２以上の固定孔が穿設されているので、予めガイド板のみの位置合わせを行なって固定するだけで、切断作業時に円形カッター本体の位置合わせ等を行なう必要がなく、簡単かつ確実に所望の切断を行なうことができる施工性に優れた円形カッター用路面切断治具を提供することができる。
（３）円形カッター移動部が円形カッター本体のカッターフレームに装設されカッター案内溝に嵌合される案内部を有するので、案内部がガイド板のカッター案内溝に沿うように移動することにより、既存の円形カッター本体をカッター案内溝に沿って移動させることができ、情報ボックス等の周囲の路面を情報ボックス等に沿って略矩形状に切断を行なうことができる施工性に優れた円形カッター用路面切断治具を提供することができる。
（４）円形カッター移動部が案内部を有するので、円形カッター移動部の案内部をガイド板のカッター案内溝に嵌合させるだけで、円形カッター本体をカッター案内溝の直線案内部と平行に確実に直線移動させることができると共に、円弧状案内部に沿って円弧移動をさせることができ、連続した一度の作業で閉じた略矩形状に切断を行なうことができる施工性、信頼性に優れた円形カッター用路面切断治具を提供することができる。
【００２０】
請求項２に記載の発明によれば、請求項１の効果に加え、以下のような効果を有する。
（１）アーム部に軸支されて回転する案内輪を有するので、既存の円形カッター本体のカッターフレームにアーム部を取付けるだけで、ガイド板のカッター案内溝に嵌合される案内輪により、円形カッター本体をガイド板のカッター案内溝に沿って移動させることができる作業性、汎用性に優れた円形カッター用路面切断治具を提供することができる。
（２）アーム部に軸支され鉛直軸に対して回転する２つの案内輪を有することにより、円形カッター本体の移動時に案内輪が回転しながらガイド板のカッター案内溝内を移動するので、円形カッター本体の移動が滑らかになり、切断の作業性を向上させることができる施工性、信頼性に優れた円形カッター用路面切断治具を提供することができる。
【００２１】
請求項３に記載の発明によれば、請求項１又は２の効果に加え、以下のような効果を有する。
（１）ガイド板の基板部がカッター案内溝の円弧状案内部が配設された円弧案内基板部と直線案内部が配設された直線案内基板部とに分割され、分割された円弧案内基板部及び直線案内基板部が互いを着脱自在に固定する固定手段を有するので、直線案内部の長さが異なる直線案内基板部を用意し、円弧状案内部が形成された円弧案内基板部と組み合わせたり、直線案内部が形成された複数の直線案内基板部を継ぎ足したりすることにより、大きさの異なる情報ボックス等の外周を切断することができる汎用性に優れた円形カッター用路面切断治具を提供することができる。
（２）分割された円弧案内基板部及び直線案内基板部が互いを着脱自在に固定する固定手段を有するので、未使用時に分解することができ、収納場所をとらず、容易に運搬することができて省スペース性、取り扱い性に優れた円形カッター用路面切断治具を提供することができる。
（３）円弧案内基板部及び直線案内基板部が互いを着脱自在に固定する固定手段を有するので、容易に直線案内部の長さを変更することができ、切断を行なう路面の状況に合わせて切断範囲を拡大したり、縮小したりできる汎用性に優れた円形カッター用路面切断治具を提供することができる。
【００２２】
請求項４に記載の発明によれば、請求項３の効果に加え、以下のような効果を有する。
（１）分割された円弧案内基板部及び直線案内基板部の上面に基板固定用孔が穿設された基板固定用リブが立設されているので、各基板部をボルトとナットで容易に着脱自在に固定することができる取り扱い性に優れた円形カッター用路面切断治具を提供することができる。
【００２３】
請求項５に記載の発明によれば、請求項１乃至４の内いずれか１項の効果に加え、以下のような効果を有する。
（１）円形カッター移動部が高さ調整部を備えているので、切断を行う路面の凹凸や段差に応じてアーム部の高さを変更することができ、路面に対してスムーズに円形カッター本体を案内することができ、より確実な切断を行うことができる施工性に優れた円形カッター用路面切断治具を提供することができる。
【００２４】
請求項６に記載の発明によれば、請求項５の効果に加え、以下のような効果を有する。
（１）基部に穿設された縦長の高さ調整孔を備えているので、ボルトとナットを用いて容易にアーム部が延設された基部を円形カッター本体のカッターフレームに着脱自在に固定することができると共に、予め切断を行う路面の凹凸や段差に応じて円形カッター本体との高さを調整することができる組立性、作業性に優れた円形カッター用路面切断治具を提供することができる。
【００２５】
請求項７に記載の発明によれば、以下のような効果を有する。
（１）円形カッター本体の回転刃が略截頭円錐状に形成され回転刃の底部外周に配設された底部切削刃と、回転刃の側部に放射状に配設された側部切削刃を有し、底部切削刃及び側部切削刃と路面とのなす傾斜角が鋭角であるため、切断面の断面形状を路面表面側に拡開した略Ｖ字型とすることができ、切断された路面の舗装の破砕や除去作業が容易で、補修時に路面上面から加えた圧力がテーパ状の切断面に伝わり易く、外周舗装部分と補修部分を馴染ませることができ、舗装後の路面のめくれや剥がれ等の発生を防止できる施工性、信頼性に優れた路面切断装置を提供することができる。
【００２６】
請求項８に記載の発明によれば、以下のような効果を有する。
（１）ガイド板を路面に固定するガイド板取付工程と、円形カッター本体のカッターフレームに円形カッター移動部を固定する円形カッター移動部取付工程と、ガイド板のカッター案内溝に円形カッター移動部の案内部を嵌入し円形カッター本体をカッター案内溝に沿って移動させ路面を略矩形状に切断する切断工程と、を有するので、予め切断位置にガイド板を固定した上で円形カッター移動部により円形カッター本体を案内して切断を行なうことができ、切断工程においては円形カッター本体の位置決め等の作業が不要で、一度の連続した作業で余切りのない略矩形状の切断を行なうことができる施工性、信頼性に優れた路面切断工法を提供することができる。
（２）切断工程において、円形カッター本体をカッター案内溝に沿って移動させ路面を余切りのない略矩形状に切断することができるので、舗装に好適な略Ｖ字型の切断面を切断部の前周に渡って形成することができ、補修後に既存の外周舗装部分と補修部分が馴染み易く、めくれや剥がれ等の発生を防止できる信頼性に優れた路面切断工法を提供することができる。
【００２７】
請求項９に記載の発明によれば、請求項８の効果に加え、以下のような効果を有する。
（１）円形カッター移動部取付工程が高さ調整工程を有することにより、予め円形カッター移動部の高さを調整することができるので、確実に案内部をカッター案内溝で案内することができ、切断工程において高さを変更する作業が不要で、路面に対してスムーズに円形カッター本体を案内することができ、作業を中断することなく、一度の作業で連続した略矩形状の切断を行なうことができる機能性、信頼性に優れた路面切断工法を提供することができる。
【発明を実施するための最良の形態】
【００２８】
（実施の形態１、２）
本発明の実施の形態１における円形カッター用路面切断治具について、以下図面を参照しながら説明する。
図１（ａ）は本発明の実施の形態１における円形カッター用路面切断治具の平面図であり、図１（ｂ）は本発明の実施の形態１における円形カッター用路面切断治具の円形カッター移動部の要部断面側面図であり、図１（ｃ）は図１（ｂ）におけるＡ−Ａ線矢視図である。
図１中、１は実施の形態１における円形カッター用路面切断治具、２は円形カッター用路面切断治具１のガイド板、３はガイド板２の直線案内部４ａが配設された直線案内基板部３ａと円弧状案内部４ｂが配設された円弧案内基板部３ｂとに分割される全体が略ロ字型に形成された基板部、４は直線案内部４ａと円弧状案内部４ｂにより略矩形状に形成されたカッター案内溝、５は基板部３の四隅に穿設されガイド板２を路面にピン等（図示せず）で固定するための固定孔、６ａは固定手段として直線案内基板部３ａの長手方向の両端部に立設された基板固定用リブ、６ｂは固定手段として直線案内基板部３ａと接する円弧案内基板部３ｂの端部に立設された基板固定用リブ、７は各基板固定用リブ６ａ、６ｂに穿設された基板固定用孔、８は隣接する直線案内基板部３ａ及び円弧案内基板部３ｂの各基板固定用リブ６ａ、６ｂに穿設された基板固定用孔７に挿通されて直線案内基板部３ａと円弧案内基板部３ｂを固定する固定手段の一つであるボルトとナットによる緊結手段、１０は円形カッター用路面切断治具の円形カッター移動部、１１は略Ｔ字型に形成された基部１１ａと基部１１ａに穿設された縦長の高さ調整孔１１ｂを有し円形カッター本体のカッターフレームに螺着固定されるアーム部１２の高さ調整部、１２は高さ調整部１１の基部１１ａに延設されて一体に形成されたアーム部、１３はアーム部１２の両側の下部に軸支部１３ａにより鉛直軸に対して回転自在に軸支されガイド板２のカッター案内溝４に嵌入されるベアリングやカムフォロア等からなる案内部である。
【００２９】
ガイド板２の基板部３及びカッター案内溝４は、ステンレス鋼やアルミニウム等の金属製とし、表面には防錆加工を施した。これにより、雨中での作業を行っても錆びることがなく、耐久性に優れる。
基板部３の四隅に固定孔５を穿設したことにより、少なくとも対角線上の二箇所を選択して固定することができるので、基板部３の回転を防止でき、円形カッター本体を安定して移動させることができる。固定は固定孔５に挿通した金属製のピンやアンカーボルト等をアスファルト等の路面に打ち込むことにより行なう。
ガイド板２のカッター案内溝４の断面形状を略Ｕ字型に形成し、案内部１３をカッター案内溝４の上方から着脱できるようにした。カッター案内溝４は、案内部１３の鉛直方向の厚さより深く形成した。これにより、円形カッターの切断深さに応じて案内部１３がカッター案内溝４の内部で上下に移動することができ、確実に案内部１３を保持して円形カッターを案内することができる。また、カッター案内溝４の幅は案内部１３の外径よりも大きめに形成した。これにより、カッター案内溝４への案内部１３の着脱が容易にできると共に、路面の傾斜や凹凸等による円形カッター本体の揺れや振動等を吸収することができる。
【００３０】
以上のように構成された実施の形態１の円形カッター用路面切断治具を用いて、以下、実施の形態２における路面切断装置及び路面切断工法について、図面を用いて説明する。尚、実施の形態１と同様のものには同一の符号を付して説明を省略する。
図２は実施の形態２における路面切断装置の使用状態を示す全体平面図であり、図３は実施の形態２における路面切断装置の円形カッター本体及び円形カッター移動部の要部断面側面図であり、図４は実施の形態２における路面切断装置の使用状態を示す要部平面図である。
図２乃至図４中、１４は円形カッター用路面切断治具１と円形カッター本体２０からなる実施の形態２における路面切断装置、１５は円形カッター用路面切断治具１のガイド板２の固定孔５に挿通され路面１８に打ち込まれてガイド板２を固定する固定用ピン、２０は路面１８を切断する円形カッター本体、２１は底部に移動用車輪２１ａが配設された円形カッター本体２０のカッターフレーム、２２は円形カッター本体２０に配設された略截頭円錐状の回転刃、２２ａは回転刃２２の底部外周に配設され路面１８と傾斜角α１をなす底部切削刃、２２ｂは回転刃２２の側部に放射状に形成され底部切削刃２２ａと一体に形成されて路面１８と傾斜角α２をなす側部切削刃、２３はカッターフレーム２１の側部に突設され高さ調整部１１の基部１１ａに穿設された高さ調整孔１１ｂに挿通された固定部材としての固定用ボルト軸、２４は高さ調整部１１の高さ調整孔１１ｂに挿通された固定用ボルト軸２３に螺着されて高さ調整部１１をカッターフレーム２１に固定する固定部材としての固定用ナット、２５は切断予定線、３０は回転刃２２が実際に移動する切断軌跡である。
【００３１】
まず、ガイド板取付工程において、円形カッター用路面切断治具１のガイド板２を切断を行なう路面１８に固定する。固定は、ガイド板２の基板部３に穿設された固定孔５に固定用ピン１５を挿通して路面１８に打ち込むことにより行なう。
次に、案内部取付工程において、高さ調整部１１の基部１１ａに穿設された高さ調整孔１１ｂにカッターフレーム２１の側部に突設された固定用ボルト軸２３を挿通し、高さ調整部１１とカッターフレーム２１との高さを調整して固定用ナット２４を固定用ボルト軸２３に螺着する。これにより、案内部１３の高さが調整された状態でカッターフレーム２１とアーム部１２の固定が行なわれる。
切断工程においては、まず、案内部１３をガイド板２のカッター案内溝４の直線案内部４ａに嵌入させて円形カッター本体２０を路面１８に載置する。回転刃２２を回転させながら所望の切断深さだけ回転刃２２を下方に押し込む。その後、円形カッター本体２０をカッター案内溝４に沿って移動させる。回転刃２２は切断予定線２５とほぼ一致する切断軌跡３０を描くように移動して切断が行なわれる。
略截頭円錐状の回転刃２２が回転刃２２の底部外周に配設された底部切削刃２２ａと、回転刃の側部に放射状に配設された側部切削刃２２ｂを有し、底部切削刃２２ａ及び側部切削刃２２ｂと路面１８とのなす傾斜角α１、α２が鋭角であるので、切断部の断面形状が路面１８側が拡開した略Ｖ字型に形成され、補修を行なう路面１８の破砕及び除去作業が行ない易く、また、外周舗装部分と補修部分との接触面が側部切削刃２２ｂの傾斜角だけテーパ状に切削されるため、補修後に圧力をかけることで外周舗装部分と補修部分が馴染み易く、舗装後の路面のめくれや剥がれ等の発生を防止できる。
【００３２】
以上のように実施の形態１における円形カッター用路面切断治具によれば、以下の作用を有する。
（１）ガイド板２の基板部３の上面に形成されたカッター案内溝４が、四隅に配設された円弧状案内部４ｂと円弧状案内部４ｂ間に配設された直線案内部４ａとを有する略矩形状なので、カッター案内溝４に沿って円形カッター本体２０を移動させるだけで、一度の作業で路面１８を略矩形状に切断することができ、切断が連続して行なわれるので余切りの発生を防止できる。
（２）ガイド板２の基板部３の四隅に固定孔５が穿設されているので、容易に位置合わせを行なってガイド板２を固定することができ、切断作業時に円形カッター本体２０の位置合わせ等を行なう必要がなく、簡単かつ確実に所望の切断を行なうことができる。
（３）円形カッター移動部１０がアーム部１２に軸支された案内輪１３を有するので、既存の円形カッター本体２０のカッターフレーム２１にアーム部１２に延設された高さ調整部１１を取付けるだけで、ガイド板２のカッター案内溝４に嵌合される案内部１３により、円形カッター本体２０を案内してガイド板２のカッター案内溝４に沿って移動させることができる。
（４）円形カッター移動部１０がアーム部１２に軸支され鉛直軸に対して回転する２つの案内輪１３を有するので、案内部１３をガイド板２のカッター案内溝４に嵌合させるだけで、円形カッター本体２０をカッター案内溝４の直線案内部４ａと平行に確実に直線移動させることができると共に、円弧状案内部４ｂに沿って円弧運動をさせることができ、連続した一度の作業で閉じた略矩形状の切断を行なうことができる。
（５）ガイド板２の基板部３がカッター案内溝４の直線案内部４ａが配設された直線案内基板部３ａと円弧状案内部４ｂが配設された円弧案内基板部３ｂとに分割され、分割された直線案内基板部３ａ及び円弧案内基板部３ｂが互いを着脱自在に固定するための固定手段として基板固定用リブ６ａ、６ｂを有するので、直線案内部４ａの長さが異なる直線案内基板部３ａを用意し、円弧状案内部４ｂが形成された円弧案内基板部３ｂと組み合わせたり、直線案内部４ａが形成された複数の直線案内基板部３ａを継ぎ足したりすることにより、大きさの異なる情報ボックス等の外周を切断することができ汎用性に優れる。
（６）分割された直線案内基板部３ａ及び円弧案内基板部３ｂが互いを着脱自在に固定する基板固定用リブ６ａ、６ｂを有するので、未使用時に分解することができ、収納場所をとらず、容易に運搬することができて取り扱い性に優れる。
（７）分割された直線案内基板部３ａ及び円弧案内基板部３ｂの上面に立設された基板固定用リブ６ａ、６ｂに基板固定用孔７が穿設されているので、各基板部３ａ、３ｂをボルトとナットによる緊結手段８で容易に着脱自在に固定することができる。
（８）円形カッター移動部１０が高さ調整部１１を備えているので、切断を行う路面１８の凹凸や段差に応じてアーム部１２の高さを変更することができ、確実にカッター案内溝４で案内輪１３を案内でき、路面１８に対してスムーズに円形カッター本体２０を移動させることができ、より確実な切断を行うことができる。
（９）高さ調整部１１が円形カッター本体２０のカッターフレーム２１に当接しアーム部１２が延設された基部１１ａと、基部１１ａに穿設された縦長の高さ調整孔１１ｂを備えているので、カッターフレーム２１に突設された固定用ボルト軸２３と固定用ナット２４を用いて容易にアーム部１２に延設された高さ調整部１１の基部１１ａを円形カッター本体２０のカッターフレーム２１に着脱自在に固定することができると共に、予め切断を行う路面１８の凹凸や段差に応じて円形カッター本体２０との高さを調整することができる。
（１０）直線案内基板部３ａ及び円弧案内基板部３ｂが互いを着脱自在に固定する基板固定用リブ６ａ、６ｂを有するので、容易に直線案内部４ａの長さを変更することができ、切断を行なう路面１８の状況に合わせて切断範囲を拡大したり、縮小したりでき汎用性に優れる。
【００３３】
実施の形態２における路面切断装置及び路面切断工法によれば、以下の作用を有する。
（１）円形カッター本体２０が底部に移動用車輪２１ａを配設されたカッターフレーム２１を有するので、固定部材である固定用ボルト軸２３と固定用ナット２４によってカッターフレーム２１に円形カッター用路面切断治具１の円形カッター移動部１０を固定するだけで、案内輪１３により円形カッター本体２０を円形カッター用路面切断治具１のカッター案内溝４ａに沿って案内して容易に移動させることができ、現場での作業性に優れる。
（２）円形カッター本体２０の回転刃２２が略截頭円錐状に形成され回転刃２２の底部外周に配設された底部切削刃２２ａと、回転刃２２の側部に放射状に配設された側部切削刃２２ｂを有し、底部切削刃２２ａ及び側部切削刃２２ｂと路面１８とのなす傾斜角が鋭角であるため、切断面の断面形状を路面表面側に拡開した略Ｖ字型とすることができ、切断された路面１８の舗装の破砕や除去作業が容易で、補修時に路面上面から加えた圧力がテーパ状の切断面に伝わり易く、外周舗装部分と補修部分を馴染ませることができ、舗装後の路面のめくれや剥がれ等の発生を防止できる。
（３）ガイド板２を路面１８に固定するガイド板取付工程と、円形カッター本体２０のカッターフレーム２１に円形カッター移動部１０を固定する円形カッター移動部取付工程と、ガイド板２のカッター案内溝４に案内輪１３を嵌入し円形カッター本体２０をカッター案内溝４に沿って移動させ路面１８を略矩形状に切断する切断工程と、を有するので、予め切断位置にガイド板２を固定した上で円形カッター本体２０による切断を行なうことができ、切断工程においては円形カッター本体２０の位置決め等の作業が不要で、一度の連続した作業で余切りのない略矩形状の切断を行なうことができる。
（４）円形カッター本体２０をカッター案内溝４に沿って移動させ路面１８を略矩形状に切断する切断工程を有するので、補修後に既存の外周舗装部分と補修部分が馴染み易く、めくれや剥がれ等の発生を防止できる舗装に好適な略Ｖ字型の切断面を切断部の前周に渡って形成することができる。
（５）円形カッター移動部取付工程が高さ調整工程を有することにより、予めアーム部１２の高さを調整することができるので、確実に案内部１３をカッター案内溝４で案内することができ、切断工程において高さを変更する作業が不要で、路面１８に対してスムーズに円形カッター本体２０を案内することができ、作業を中断することなく、一度の作業で連続した略矩形状の切断を行なうことができる。
【００３４】
（実施の形態３）
本発明の実施の形態３における円形カッター用路面切断治具について、以下図面を参照しながら説明する。尚、実施の形態１と同様のものには同一の符号を付して説明を省略する。
図５は本発明の実施の形態３における円形カッター用路面切断治具のガイド板の平面図である。
図５中、実施の形態３における円形カッター用路面切断治具のガイド板３１が実施の形態１と異なるのは、カッター案内溝４の長辺部が直線案内部４ａを配設された短辺部と長さの等しい２つの直線案内基板部３ａを連結することにより形成されている点である。２つの直線案内基板部３ａは基板固定用リブ６ａをボルトとナットによる緊結手段８で固定することにより連結されている。
このように基準となる一種類の長さの直線案内基板部３ａのみを用意し、それを複数継ぎ足すことによって切断範囲の拡大に対応することができる。この場合、同一寸法の部材のみで大量に製作することができ、部品点数を低減することができるので、低コスト性に優れる。また、直線案内部４ａの長さが異なる複数の直線案内基板部３ａを用意し、それらを交換或いは継ぎ足すことによって切断範囲の拡大や縮小を行なうこともできる。
【００３５】
以上のように実施の形態３における円形カッター用路面切断治具によれば、以下の作用を有する。
（１）円弧案内基板部３ｂ及び直線案内基板部３ａが互いを着脱自在に固定する固定手段を有するので、直線案内部４ａの長さが異なる複数の直線案内基板部３ａを交換或いは継ぎ足すことによって容易に直線案内部４ａの長さを変更することができ、情報ボックスの大きさや切断を行なう路面の状況に合わせて切断範囲を拡大したり、縮小したりでき汎用性に優れる。
【産業上の利用可能性】
【００３６】
本発明は、既存の円形カッターを利用することで大がかりな設備を要することなく作業手順を少なくし、作業コストを低減できて施工性に優れた円形カッター用路面切断治具の提供、及び、舗装路面の切断時に余切りが発生せず雨水等の浸入を防止して舗装路面の強度や支持力を確保でき、亀裂やひび割れ、破損等の発生を低減できると共に、既存の外周舗装部分と補修部分が馴染み易く、めくれや剥がれ等の発生を防止できる舗装に好適な切断面を形成することができる路面切断工法を提供するもので、特に、舗装路面を円形に切断する円形カッターを直線状に移動させて切断を行なうことにより、舗装路面に設けられる情報ボックス等の四角形状の鉄蓋周囲に余切りを発生させることなく略矩形状に切断でき、後工程において迅速且つ低コストで信頼性の高い補修を行なうことができる。
【図面の簡単な説明】
【００３７】
【図１】（ａ）は本発明の実施の形態１における円形カッター用路面切断治具の平面図    （ｂ）は本発明の実施の形態１における円形カッター用路面切断治具の円形カッター移動部の要部断面側面図    （ｃ）図１（ｂ）におけるＡ−Ａ線矢視図
【図２】実施の形態２における路面切断装置の使用状態を示す全体平面図
【図３】実施の形態２における路面切断装置の円形カッター本体及び円形カッター移動部の要部断面側面図
【図４】実施の形態２における路面切断装置の使用状態を示す要部平面図
【図５】本発明の実施の形態３における円形カッター用路面切断治具のガイド板の平面図
【符号の説明】
【００３８】
１  円形カッター用路面切断治具
２  ガイド板
３  基板部
３ａ  直線案内基板部
３ｂ  円弧案内基板部
４  カッター案内溝
４ａ  直線案内部
４ｂ  円弧状案内部
５  固定孔
６ａ、６ｂ  基板固定用リブ
７  基板固定用孔
８  緊結手段
１０  円形カッター移動部
１１  高さ調整部
１１ａ  基部
１１ｂ  高さ調整孔  
１２  アーム部
１３  案内輪
１３ａ  軸支部
１５  固定用ピン
１８  路面
２０  円形カッター本体
２１  カッターフレーム
２１ａ  移動用車輪
２２  回転刃
２２ａ、２２ｂ  切削刃
２３  固定用ボルト軸
２４  固定用ナット
２５  切断予定線
３０  切断軌跡
α１、α２  傾斜角
【図１】
2005155110.tif 000003
【図２】
2005155110.tif 000004
【図３】
2005155110.tif 000005
【図４】
2005155110.tif 000006
【図５】
2005155110.tif 000007